(57)【要約】【課題】スライドパネルの大きさを調整でき、免震部パネルとボーダー部パネルとスライドパネルとが同一の構造形式で構成されかつ同一レベルに設置され、スライドパネルの床強度が強く、地震時に飛び跳ねがない免震フリーアクセスフロアのスライドパネル設置構造を提供すること。【解決手段】スライドパネル１３は、外周壁と内周壁との間を切断できる。免震部パネル１１とボーダー部パネル１２とスライドパネル１３とを同一の厚みとし、基礎床１４上に立設したスライドパネル支持手段１９の上に固定した下床板２１上に楔ブロック２２をボーダー部パネル１２に隣接して固定し、スライドパネル１３の端部１３ａに楔ピース２３を接続固定し、下向き傾斜面２３ａを上向き傾斜面２２ａに面対偶させてスライドパネル１３を下床板２１上に載置しスライドパネル１３の端部１３ｂを免震部パネル支持手段１６に支持した。【選択図】  図１
2009114621.tif 000002
【特許請求の範囲】
【請求項１】
建屋の基礎床に免震装置を設置しこの免震装置上に敷設される免震部パネルを地震時に前記免震装置の働きにより上下・水平方向に免震させる免震フリーアクセスフロアにおいて、前記免震部パネルと、基礎床のボーダー部に立設されたボーダー部パネル支持手段に支持されたボーダー部パネルとの間の免震用隙間を閉塞して設けられ地震時にスライドするアルミダイキャスト製のスライドパネルであって、
矩形状に薄肉な上面部と、前記上面部の下面周端部より垂下する外周壁と、前記外周壁の少なくとも前記免震部パネル側の一側に所要寸法離隔して前記上面部の下面周端部より垂下する単数又は複数の内周壁と、前記上面部の下面適宜位置に垂下する補強用リブと、を備えてダイキャスト製造され、
免震床設計上等、前記免震用隙間を閉塞する設置スペースが小さくなるときには、前記外周壁と前記内周壁との間の内周壁側の際を、又は、前記適宜の外側の内周壁と内側の内周壁との間の該内側の内周壁側の際を切断し、外側に露出した内周壁をもって外周壁としその内側に入り込む免震部パネル支持手段のパネル受承板の係止用立ち上がり片部で係止されるように構成されている、
ことを特徴とする免震フリーアクセスフロア用スライドパネル。
【請求項２】
ダイキャスト製造される、免震部パネルと、ボーダー部パネルと、前記免震部パネルと前記ボーダー部パネルとの間の免震用隙間を閉じる請求項１の免震フリーアクセスフロア用スライドパネルとを備え、
前記免震部パネルが建屋の基礎床の中央部に設置される免震装置上に立設される免震部パネル支持手段で支持され、
前記ボーダー部パネルの建屋壁面寄りの下面が前記基礎床のボーダー部に立設するボーダー部パネル支持手段で支持され、
前記基礎床上の前記免震用隙間のスライドパネル寄り及び隙間中程に対応しスライドパネル支持手段が立設され、両スライドパネル支持手段の上に下床板が固定され、
前記下床板で前記ボーダー部パネルのスライドパネル寄りの端部下面が支持されると共に、スライドパネル側に向かって傾斜下降する上向き傾斜面を有する楔ブロックが前記ボーダー部パネルに隣接載置され固定され、
前記スライドパネルの楔ブロック寄りの端部には、前記楔ブロックに向かって傾斜上昇する下向き傾斜面を有する楔ピースが接続固定され、該楔ピースの下向き傾斜面と前記楔ブロックの上向き傾斜面とを面対偶させて該スライドパネルの楔ブロック寄りの略半部が前記下床板上に載置され、かつ該スライドパネルの免震部パネル寄りの端部が前記免震部パネル支持手段に支持される、
ことを特徴とする免震フリーアクセスフロアのスライドパネル設置構造。
【発明の詳細な説明】
【技術分野】
【０００１】
本発明は、免震フリーアクセスフロア用スライドパネル及びその設置構造に関し、詳しくは、建屋の基礎床に免震装置を設置しこの免震装置上に敷設される免震部パネルを地震時に前記免震装置の働きにより上下・水平方向に免震させる免震フリーアクセスフロアにおいて、免震部パネルと、基礎床のボーダー部に立設されたボーダー部パネル支持手段に支持されたボーダー部パネルとの間の免震用隙間を閉塞して設けられ地震時にスライドする免震フリーアクセスフロア用スライドパネル及びその設置構造に関する。
【背景技術】
【０００２】
例えば、特許文献１〜５に示す免震フリーアクセスフロアにおけるスライドパネルは、板厚が薄いものが使用されているため、強度が弱いという問題点がある。詳しくは、スライドパネルが、免震部パネルやボーダー部パネルの構造形式や寸法仕様とは全く異なり、スライドパネルを鋼製の平板としたものでは重く、撓みやすく、ローリングに弱い。また、スライドパネルを薄いアルミニウム板等で構成したものでは、他のパネル部分に比して強度がかなり低く、供用時に不用意に重いものを載せたり、強い地震を受けると破損したり変形する不都合があった。
【０００３】
そこで、特許文献６に示す免震フリーアクセスフロアにおけるスライドパネルは、免震部パネルと同じ構造形式（アルミダイキャスト製）として必要十分な強度を確保している。
【０００４】
【特許文献１】実開平５−３２５７２号公報
【特許文献２】特開平５−７９１７２号公報
【特許文献３】特開平５−７９１７３号公報
【特許文献４】特開平８−２０９９１１号公報
【特許文献５】実開平７−４２８３５号公報
【特許文献６】特開平１１−６２１９５号公報
【発明の開示】
【発明が解決しようとする課題】
【０００５】
しかしながら、特許文献６の免震フリーアクセスフロアのスライドパネル設置構造は以下のような問題点がある。
（１）スライドパネルの大きさが限定されてしまうので、免震床設計上、免震用隙間を閉塞するスライドパネルの設置スペースの大きさに応じて該スライドパネルの大きさを調整できない。そのため、寸法違いのスライドパネルを必要とする場合には、新たに金型でスライドパネルを製造する必要がある。又は切断して製作となるが、その場合強度が著しく低下する。
（２）スライドパネルは、地震時にボーダー部パネル上に載置するレベルプレートの下側に潜り込む構成になっているが、この時点で上下方向の大きな揺れがあると、ボーダー部パネルが免震部パネルよりも高く変化すると、スライドパネルが瞬間に大きく傾斜し、これによりレベルプレートが勢いよく跳ね上がる危険がある。
（３）スライドパネルのリアエッジに備えるリア金具と、免震部支柱の台プレート上に立つ受け金物とはガタつきを有して係合しているので、地震時にレベルプレートの下側にスライドパネルが潜り込んだ後で戻っても、スライドパネルのリアエッジと免震部パネルとの突き合わせ間隔（目地）が大きく開くことがある。
（４）スライドパネルのリアエッジにリア金具を備え、さらにリアエッジの全長に、緩衝用のゴムシートを付設する構成であり、部品点数・組み付け工数が多くなり、コスト高になる。
（５）ボーダー部パネルの下側空間の高さが小さいので、ここに、配線等を行う際の寸法的条件が厳しいものとなっている。
（６）スライドパネルのフロントエッジに備えるフロント金具と、レベルプレートに備える傾斜金具が意匠的美観を損ねる。
【０００６】
本発明は、上述した点に鑑み案出したもので、免震床設計上等、免震用隙間を閉塞するスライドパネルの設置スペースの大きさに応じて該スライドパネルの大きさを調整できる免震フリーアクセスフロア用スライドパネルを提供すること、及び、免震部パネルとボーダー部パネルとスライドパネルとが同一の構造形式で構成されかつ同一レベルに設置され、スライドパネルの床強度が強く、地震時に飛び跳ねがなく、ボーダー部パネル及びスライドパネルの下側空間の高さを大きく確保できる免震フリーアクセスフロア用スライドパネルの設置構造を提供することを課題としている。
【課題を解決するための手段】
【０００７】
上記課題を解決するため、本発明は、建屋の基礎床に免震装置を設置しこの免震装置上に敷設される免震部パネルを地震時に前記免震装置の働きにより上下・水平方向に免震させる免震フリーアクセスフロアにおいて、前記免震部パネルと、基礎床のボーダー部に立設されたボーダー部パネル支持手段に支持されたボーダー部パネルとの間の免震用隙間を閉塞して設けられ地震時にスライドするアルミダイキャスト製のスライドパネルであって、矩形状に薄肉な上面部と、前記上面部の下面周端部より垂下する外周壁と、前記外周壁の少なくとも前記免震部パネル側の一側に所要寸法離隔して前記上面部の下面周端部より垂下する単数又は複数の内周壁と、前記上面部の下面適宜位置に垂下する補強用リブと、を備えてダイキャスト製造され、免震床設計上等、前記免震用隙間を閉塞する設置スペースが小さくなるときには、前記外周壁と前記内周壁との間の内周壁側の際を、又は、前記適宜の外側の内周壁と内側の内周壁との間の該内側の内周壁側の際を切断し、外側に露出した内周壁をもって外周壁としその内側に入り込む免震部パネル支持手段のパネル受承板の係止用立ち上がり片部で係止されるように構成されている、免震フリーアクセスフロア用スライドパネルとしたことを特徴とする。この発明において、前記ボーダー部パネルは、前記スライドパネルと建物側壁までの間にあるパネルをいうものとする。
【０００８】
また、本発明は、ダイキャスト製造される、免震部パネルと、ボーダー部パネルと、前記免震部パネルと前記ボーダー部パネルとの間の免震用隙間を閉じる前記免震フリーアクセスフロア用スライドパネルとを備え、前記免震部パネルが建屋の基礎床の中央部に設置される免震装置上に立設される免震部パネル支持手段で支持され、前記ボーダー部パネルの建屋壁面寄りの下面が前記基礎床のボーダー部に立設するボーダー部パネル支持手段で支持され、前記基礎床上の前記免震用隙間のスライドパネル寄り及び隙間中程に対応しスライドパネル支持手段が立設され、両スライドパネル支持手段の上に下床板が固定され、前記下床板で前記ボーダー部パネルのスライドパネル寄りの端部下面が支持されると共に、スライドパネル側に向かって傾斜下降する上向き傾斜面を有する楔ブロックが前記ボーダー部パネルに隣接載置され固定され、前記スライドパネルの楔ブロック寄りの端部には、前記楔ブロックに向かって傾斜上昇する下向き傾斜面を有する楔ピースが接続固定され、該楔ピースの下向き傾斜面と前記楔ブロックの上向き傾斜面とを面対偶させて該スライドパネルの楔ブロック寄りの略半部が前記下床板上に載置され、かつ該スライドパネルの免震部パネル寄りの端部が前記免震部パネル支持手段に支持される、免震フリーアクセスフロアのスライドパネル設置構造としたことを特徴とする。
【発明の効果】
【０００９】
本発明によれば、免震床設計上等、免震用隙間を閉塞するスライドパネルの設置スペースの大きさに応じて該スライドパネルの大きさを調整できる免震フリーアクセスフロア用スライドパネルを提供することができる。
【００１０】
また、本発明によれば、以下の優れた効果を奏する。
（１）免震床設計上等、免震用隙間を閉塞するスライドパネルの設置スペースの大きさに応じて該スライドパネルの大きさを調整できる免震フリーアクセスフロアのスライドパネル設置構造を提供することができる。
（２）スライドパネルを免震部パネルと同一構造形式とすることができて、スライドパネルの強度を免震部パネルと同一の高い強度にすることができる。
（３）地震時に水平移動するスライドパネルは、ボーダー部パネルの上に乗り上げるか、又は、楔ブロックとの隙間を開けて下床板上にスライドし、このとき、地震の縦揺れが起きても、スライドパネルが突き上がったり、スライドパネルがボーダー部パネルを突き上げることがなく、またスライドパネルの免震部パネル寄りの端部が免震部パネル支持手段から浮き上がって脱落する惧れが少ない。
（４）ボーダー部パネルの下面を免震部パネルの下面と合わせられ、下床板の板厚寸法は、パネルよりも大幅に小さくなるから、ボーダー部パネルの下側空間の高さを従来よりも大きく取ることができる。
（５）ボーダー部パネルの上に、従来のレベルプレートを設けないからコストを低減できる。
（６）免震部パネルとボーダー部パネルとスライドパネルのいずれもパネル支持手段上に載置するだけで設置できるので施工が容易迅速に行える。
【発明を実施するための最良の形態】
【００１１】
以下に、本発明の実施の形態に係る免震フリーアクセスフロア用スライドパネル及びその設置構造を図面を参照して説明する。
【００１２】
〔実施の形態１〕
まず、実施の形態１の構成について説明する。
図１、図２に示すように、この免震フリーアクセスフロアのスライドパネル設置構造１０は、免震部パネル１１とボーダー部パネル１２とスライドパネル１３とを同一の厚みのアルミダイキャストによる成形体としかつ同一のレベルに設置する構成である。そして、これら三つのパネル１１〜１３を支持する手段として、免震装置１５上に設けられる免震部パネル支持手段１６と、建屋の基礎床１４上に設けられるボーダー部パネル支持手段１７及びスライドパネル支持手段１９，２０と、該スライドパネル支持手段１９，２０上に設けられる下床板２１を備えている。
【００１３】
下床板２１を支持するスライドパネル支持手段１９，２０は、建屋の基礎床１４上の免震用隙間のスライドパネル寄り及び隙間中程に対応して立設される。下床板２１は、パネル１１〜１３の下面のレベルに合わせて設けられる。スライドパネル１３は、下床板２１で受承され免震用隙間を閉じるようになっている。もって、免震部パネル１１とボーダー部パネル１２とスライドパネル１３とが同一の厚みとされかつ同一のレベルに設置される。
【００１４】
さらに、地震時に免震部パネル１１がボーダー部パネル１２の方向に接近移動する際に、スライドパネル１３がボーダー部パネル１２上に乗り上げられるようにするために、下床板２１上にボーダー部パネル１２に隣接して楔ブロック２２が載置固定され、一方、スライドパネル１３の楔ブロック寄りの端部１３ａには、楔ブロック２２に向かって傾斜上昇する下向き傾斜面２３ａを有する楔ピース２３が接続固定され、楔ピース２３の下向き傾斜面２３ａと楔ブロック２２の上向き傾斜面２２ａとを面対偶させ、地震時に下向き傾斜面２３ａと上向き傾斜面２２ａとの間で楔作用を生起してスライドパネル１３がボーダー部パネル１２上に乗り上げる構成である（図７参照）。
【００１５】
以下、さらに詳述する。
免震部パネル１１について説明する。図３（ａ）は免震部パネル１１の断面図を示す。図４は免震部パネル１１の下面図を示す。なお、図３と図４とは構造を完全に対応させて描かれているものではない。免震部パネル１１は、着座面（下端面）を一平面となるように機械加工し、上面及び側面のバリを取り除いたパネルである。パネル１１の構造形式を、該パネル１１の下面図を示す図４を用いて説明する。パネル１１は、上面部ａと、矩形外周壁部ｂと、「井」形内壁部ｃと、補強用リブｄと、補強用小リブｅとを備えている。上面部ａは、方形かつ薄板状である。上面部ａには複数のスリット（貫通長孔）が設けられる場合がある。矩形外周壁部ｂは、上面部ａの周囲より一体に垂下する。「井」形内壁部ｃは、矩形外周壁部ｂに「井」形状に内接するように前記上面部ａより一体に垂下する。矩形外周壁部ｂと「井」形内壁部ｃは、垂下方向の寸法が等しい。補強用リブｄは、矩形外周壁部ｂに囲まれるエリアに設けられ縦方向及び横方向に適宜ピッチで上面部ａより一体に垂下する。補強用リブｄは、ここでは、矩形外周壁部ｂ及び「井」形内壁部ｃよりも垂下方向の寸法が小さい（同じ場合がある）。補強用小リブｅは、補強用リブｄと「井」内壁部ｃとの間に設けられ適宜ピッチで上面部ａより一体に垂下する。補強用小リブｅは、補強用リブｄよりも垂下方向の寸法がさらに小さい。パネル１１の下面の四隅コーナー部の凹部ｆは、支持脚の支持キャップが入り込んで係合するための係止用凹部となっている。
【００１６】
ボーダー部パネル１２について説明する。図３（ｂ）はボーダー部パネル１２の断面図を示す。ボーダー部パネル１２は、免震部パネル１１と同じアルミダイキャスト体又は別の大きさのアルミダイキャスト体の着座面の機械加工し、上面及び側面のバリを取り除いてから、ボーダー部の設置スペースに合わせ一側をカットしたものである。
【００１７】
スライドパネル１３について説明する。図５（ａ）はスライドパネル１３の断面図を示す。図５（ｂ）はスライドパネル１３の下面図を示す。図５（ａ）と図５（ｂ）とは構造を完全に対応させて描かれているものではない。スライドパネル１３は、免震部パネル１１とは別のアルミダイキャスト体の着座面（下端面）を一平面となるように機械加工し、上面及び側面のバリを取り除いてから、一側に、別途の樹脂成型した楔ピース２３を嵌合被着したものである。なお、楔ピース２３は、アルミニウムの押出成形体又は他の成形体よりなり、ビスで固定しても良い。
スライドパネル１３は、上面部ａ’と、矩形外周壁部ｂ’と、複数の内壁部ｃ’と、補強用大リブｄ’と、補強用小リブｅ’と、補強用小リブｆ’とを備えている。上面部ａ‘は、正方形かつ薄板状である。上面部ａ’には複数のスリット（貫通孔）が設けられる場合がある。矩形外周壁部ｂ’は、上面部ａ’の周囲より一体に垂下する。内壁部ｃ’は、スライドパネル１３が並ぶ方向の両端に１つずつ、免震部側に３つ、ボーダー部側に２つ有し、それぞれ前記上面部ａ’より一体に垂下する。凹部ｇ’は、支持脚の係止用立ち上がり片部が入り込んで係合するための係止用凹部となっている。各凹部ｇ’には、四分円のリブｈ’が設けられている。
【００１８】
〔スライドパネルの取付け〕
免震用隙間を閉塞するスライドパネルの設置スペースは、免震床設計により相違する。スライドパネル１３は、一種類の金型で作られるアルミダイキャスト製であり、例えば図５に示す一種類が用意されるので、設置スペースが小さくなるときには、スライドパネル１３を切断して大きさを調整する。図５（ｂ）において、外周壁と前記内周壁との間の内周壁側の際を、又は、前記適宜の外側の内周壁と内側の内周壁との間の該内側の内周壁側の際を切断できる。具体的には、イ−イ又はロ−ロを結ぶ線で切断することによって二段階に大きさを小さくすることができる。イ−イ又はロ−ロを結ぶ線で切断すると、外側に露出した内周壁をもって新たな外周壁としその内側に入り込む免震部パネル支持手段１６のパネル受承板１６ｂ’の係止用立ち上がり片部１６ｂ”で係止されるように構成されている。なお、ハ−ハ、ニ−ニ、ホ−ホ、及びヘ−ヘを結ぶ線で切断することもできる。
【００１９】
図６（ａ）は、設置スペースが大きく切断しなくてよい場合の取付状態を示す。図６（ｂ）は、設置スペースが一段階小さくなるときの取付状態を示す。図６（ｃ）は、設置スペースが二段階小さくなるときの取付状態を示す。
図６（ａ）〜（ｃ）のいずれの場合も、スライドパネル１３の凹部ｇ’に後述する係止用立ち上がり片部１６ｂ”が入り込んで四分円のリブｈ’に係合し付勢している。
【００２０】
上記構造形式のアルミダイキャスト体のパネル１１〜１３は、上面部ａが肉薄であるが十分な強度を有し、軽い。すなわち、スライドパネル１３を免震部パネル１１と同一構造形式とすることができて、スライドパネル１３の強度を免震部パネル１１と同一の高い強度にすることができる。
【００２１】
上記構成により、図３（ａ）に示す免震部パネル１１と図３（ｂ）に示すボーダー部パネル１２と図３（ｃ）に示すスライドパネル１３は、同一の構造形式のアルミダイキャスト体であり、上面部ａの上面から下面着座面までの高さ寸法が同一である。
【００２２】
免震部パネル支持手段１６は、基礎床１４の中央部に設置される免震装置１５の免震構造部材１５ａ上に立設される。該免震部パネル支持手段１６は、支持脚本体１６ａと、さらに支持脚本体１６ａ上に立ち上げられる免震部パネル用支持キャップ１６ｂとからなる。免震部パネル用支持キャップ１６ｂは、上端にパネル受承板１６ｂ’を備えている。パネル受承板１６ｂ’は、免震部パネル１１の端部（コーナー部）を受承するとともに、スライドパネル１３の免震部パネル寄りの端部（コーナー部）１３ｂを受承する。パネル受承板１６ｂ’には係止用立ち上がり片部１６ｂ”備えられ、この係止用立ち上がり片部１６ｂ”は、ばねで弾持されていて、スライドパネル１３の隅位置の凹部ｇ’に侵入して四分円のリブｈ’に当接してスライドパネル１３を免震部パネル１１の方向へ付勢している。
【００２３】
図８（ａ）は、免震部パネル１１とスライドパネル１３の支持構造部分を示す平面図であり、図８（ｂ）は断面図である。スライドパネル１３の下面のコーナー部には、凹部ｇ’があり、凹部ｇ’には四分円のリブｈ’があり、このリブｈ’に係止用立ち上がり片部１６ｂ”が入り込んで係合している。係止用立ち上がり片部１６ｂ”は、ボルト２８と弾性部材（ここではばねを使用）とで取り付けられていて、リブｈ’からの力を大きく受けると外方へ逃げて傾き、力が弱まると、垂直に立ちなおる。従って、係止用立ち上がり片部１６ｂ”は、地震が収まった後、スライドパネル１３のずれを戻す働きをして、スライドパネル１３と免震部パネル１１との隙間が大きく開かないように抑制し、スライドパネル１３を元の位置に戻す機能を有する。
【００２４】
ボーダー部パネル支持手段１７は、基礎床１４に立設される。ボーダー部パネル支持手段１７は、支持脚本体１７ａと、さらに支持脚本体１７ａ上に立ち上げられるボーダー部パネル用支持キャップ１７ｂとからなる。ボーダー部パネル用支持キャップ１７ｂの上端には、Ｌ形のパネル受承板１７ｂ’が備えられ、該パネル受承板１７ｂ’でボーダー部パネル１２の両端の下面及び側面を受承する。この支持構造部分は、従来と変わらずに設けることができる。
【００２５】
下床板２１は、薄肉鋼板（ステンレス鋼板等を含む）よりなり、免震部パネル１１とボーダー部パネル１２との免震用隙間に設けられ、下床板２１の免震部パネル側の端部は下方へ垂直に折れ曲がり、また下床板２１のボーダー部パネル側の端部は上方へ垂直に折れ曲がり、もって面の撓み強度を高められており、スライドパネル１３を受承する。なお、下床板２１でボーダー部パネル１２のスライドパネル寄りの端を受承しても良い。
下床板２１は、スライドパネル１３のボーダー部パネル寄りの略半部を受承する。楔ブロック２２は、アルミニウムの押出成形体又は他の成形体であり、ボーダー部パネル１２とスライドパネル１３との間に位置され、下床板２１にねじ２５で固定されている。楔ブロック２２は、スライドパネル１３側に向かって傾斜下降する上向き傾斜面２２ａを有する。楔ブロック２２の上向き傾斜面２２ａは、スライドパネル１３に設けた楔ピース２３の楔ブロック２２に向かって傾斜上昇する下向き傾斜面２３ａと面対偶している。
【００２６】
下床板２１を支持するために、基礎床１４上の免震用隙間のスライドパネル寄り位置及び中程に対応しスライドパネル支持手段１９，２０が立設されている。スライドパネル支持手段１９，２０は、それぞれ、支持脚本体１９ａ又は２０ａと、さらに支持脚本体１９ａ又は２０ａ上に立ち上げられるスライドパネル用支持キャップ１９ｂ又は２０ｂと、スライドパネル用支持キャップ１９ｂ及び２０ｂとからなり、支持キャップ１９ｂ及び２０ｂは、Ｌ形のブラケット１９ｂ’，２０ｂ’を有し、該ブラケット１９ｂ’，２０ｂ’が下床板２１の両端のＬ字に折れ曲がった部分に重畳して該下床板２１を固定支持している。
従って、スライドパネル１３は、免震部パネル支持手段１６とスライドパネル支持手段１９，２０により支持されるので、必要十分な支持脚強度を備える。
【００２７】
楔ブロック２２とボーダー部パネル１２との間、及び免震部パネル１１とスライドパネル１３との間に隙間閉塞用ゴム２６，２７が挟設されている。このゴム２６，２７は、地震時におけるスライドパネル１３の揺動容易性を向上する役目を果たし、また地震後にスライドパネル１３の元位置への復元性を向上する役目を果たす。
【００２８】
〔スライドパネルの取付け〕
免震床設計上等の関係上、免震用隙間を閉塞するスライドパネルの設置スペースの大きさに応じて該スライドパネル１３の大きさを調整する。スライドパネル１３は、一種類の金型で作られるアルミダイキャスト成形体であり、例えば図５に示す一種類が用意される。
【００２９】
〔地震時の作用〕
地震時に水平方向の大きな横揺れが起きて、図２に示す状態において、免震部パネル支持手段１６が、ボーダー部パネル支持手段１７及びスライドパネル支持手段１９，２０に対して相対的に離隔する状態が生じる。このときは、図７（ａ）に示すように、スライドパネル１３が楔ブロック２２から離隔するように下床板２１上を相対的にスライドするが、外れて脱落するまでは変動しない。そして、図７（ａ）に示す状態で大きな縦揺れが起きて免震部パネル支持手段１６が相対的に上昇する場合、スライドパネル１３のボーダー部寄りの端部が下床板２１により受承された傾斜状態になり、また免震部パネル支持手段１６が相対的に降下した場合には、スライドパネル１３が下床板２１に受承され、免震部パネル支持手段１６の係止用立ち上がり片部１６ｂ”より脱出しない限度まで浮き上がる。地震が収まると、図２に示す状態に戻る。
【００３０】
また地震時に水平方向の大きな横揺れが起こると、図２に示す状態において、免震部パネル支持手段１６が、ボーダー部パネル支持手段１７及びスライドパネル支持手段１９，２０に対して相対的に接近する状態が生じる。このとき、横揺れが大きいと、図７（ｂ）に示すように、楔ブロック２２の上向き傾斜面２２ａと、楔ピース２３の下向き傾斜面２３ａとの密着面において楔作用によりスライドして、スライドパネル１３のボーダー部パネル側が持ち上がり変動する。さらに横揺れの大きいときは、図７（ｃ）に示すように、スライドパネル１３が、ボーダー部パネル１２の上に乗り上げる。
【００３１】
そして、図７（ｃ）に示す状態で、垂直方向の大きな縦揺れを伴なうと、免震部パネル支持手段１６が、ボーダー部パネル支持手段１７及びスライドパネル支持手段１９，２０に対して相対的に低くなる状態が生じる（図７（ｄ）の状態）。この状態でも、隙間Ｓがあり飛び跳ねは起こらない。
【００３２】
上記構成の実施の形態によれば、ボーダー部パネル１２の下面を免震部パネル１１の下面と合わせられ、下床板の板厚寸法は、パネルよりも大幅に小さくなるから、ボーダー部パネル１２の下側空間の高さを従来よりも大きく取ることができる。また、ボーダー部パネル１２の上に、特許文献６のようにレベルプレートを設けることはしないからコストを低減できる。免震部パネル１１とボーダー部パネル１２とスライドパネル１３のいずれもパネル支持手段に載置するだけで設置できるので施工が容易迅速に行える。
【００３３】
〔その他の実施の形態〕
本発明は上記実施の形態にこれに限定されるものでなく、特許請求の範囲に記載された発明の要旨を逸脱しない範囲内での種々、設計変更した形態を技術的範囲に含むものである。上述した実施の形態１では、ボーダー部パネル１２は建屋壁面１８とスライドパネル１３との間の１つ有する場合を示したが、免震部パネル１１から建屋壁面１８までの距離が大きくて免震部パネル１１に隣接してスライドパネル１３を設けても、スライドパネル１３から建屋壁面１８までの距離がまだ大きくて、スライドパネル１３から建屋壁面１８までの間に複数のパネルを敷き詰めて、その中、建屋壁面１８に接するパネルをボーダー部パネル１２と称し、他のパネルを固定部パネルと称する場合も、本発明の技術的範囲に含まれる。
【図面の簡単な説明】
【００３４】
【図１】実施の形態１に係る免震フリーアクセスフロアのスライドパネル設置構造を説明するための正面図である。
【図２】図１の要部拡大図である。
【図３】（ａ）は免震部パネルの断面図、（ｂ）はボーダー部パネルの断面図、（ｃ）はスライドパネルの断面図である。
【図４】免震部パネルの一例を示す下面図である。
【図５】スライドパネルの一例を示す断面図と下面図である。
【図６】地震時のスライドパネルの他の変動を説明するための図である。
【図７】地震時のスライドパネルの他の変動を説明するための図である。
【図８】免震部パネルとスライドスライドパネルの支持構造部分を示す平面図と断面図である。
【符号の説明】
【００３５】
１０  免震フリーアクセスフロアのスライドパネル設置構造
１１  免震部パネル
１２  ボーダー部パネル
１３  スライドパネル（免震フリーアクセスフロア用スライドパネル）
１３ａ  楔ブロック寄りの端部
１３ｂ  免震部パネル寄りの端部
ｆ  係止用凹部
１４  基礎床
１５  免震装置
１６  免震部パネル支持手段
１６ａ  支持脚本体
１６ｂ’  パネル受承板
１６ｂ”  係止用立ち上がり片部
１７  ボーダー部パネル支持手段
１８  建屋壁面
１９  スライドパネル支持手段
２０  スライドパネル支持手段
２１  下床板
２２  楔ブロック
２２ａ  上向き傾斜面
２３  楔ピース
２３ａ  下向き傾斜面
【図１】
2009114621.tif 000003
【図２】
2009114621.tif 000004
【図３】
2009114621.tif 000005
【図４】
2009114621.tif 000006
【図５】
2009114621.tif 000007
【図６】
2009114621.tif 000008
【図７】
2009114621.tif 000009
【図８】
2009114621.tif 000010